(57)【要約】      （修正有） 【課題】紐部材の曲線的な動きと管状部材の直線的な動きとの組合せで大空間が作られる構造体を提供する。【解決手段】紐部材４と管状部材２を連結して、複数以上の管状部材２が管状部材内の中空を通る紐部材４によって戻り止めにより締付けられ１本化する。切割り６により管状部材２内の中空に紐部材４を挿入して締付ける。管状部材２に溝８、突起９があり、溝８と突起９を合せ固定されるので簡単に外れない。紐部材４の締付けは先頭の管状部材２より次の管状部材内に紐部材４を通して、管状部材２を締付ける。管状部材２を板体のように平面化、立体化するには、紐部材４を２本・３本・４本・・と戻り止めで締付けることよって、紐部材４が平面・立体の中心点に力が集まり、絞まるのを利用する。小空間より大空間へと応用分野が無限に広がる。板体・球体等に切割り６のある管状部材(直管・曲管)を固定接続したものもある。【選択図】図１
0003151665.tif 000002
【実用新案登録請求の範囲】
【請求項１】
先端部材に一端を固着された紐部材とこの紐部材を通す複数の管状部材及び該管状部材同士をつなぐ接続部材を備え，前記紐部材側に紐部材の戻り止め部材を有し，この紐部材の戻り止めを通して外部に紐部材を取出し，更に，前記管状部材及び接続部材は長手方向に切割りを有すると共に管状部材と接続部材は管状部材と接続部材に設けた切割りが円周上で一致しない位置で固定されるよう回り止めにより接合されることを特徴とする切割り入り管状部材に紐部材を挿入した構造体。  
【考案の詳細な説明】
【技術分野】
【０００１】
紐部材（柔かいもの，柔軟性あるもの）と管状部材（硬いもの）との組合せで，紐部材を戻り止めで締付けて固定する。管状部材には切割りがあり紐部材を挿入する。切割りは管状部材の長手方向に有って，紐部材を切割り内に挿入する。管状部材の種類は先端部分（先端部材），接続部材，管状部材の３種類である。複数の管状部材は紐部材によって締付けられることで１本化する。すべて管状部材を紐部材で結び，先端の管状部材は，切割りはなく，上端の中心の穴に紐部材を通し、縛り付け固定し，先端を除く中間部と先端に対する一方の管状部材には長手方向に切割りを入れ、切割りを通じて，沿って管状部材の中空，管内に紐部材を挿入して、切割りから紐部材が戻り止めの締付けによって外れないように，管状部材の切割りが円周上で一致しない位置になるように作ってある溝，突起に合せてつなぎ、先端に対する一方の管状部材内に固定された戻り止めによって紐部材が戻り止めで締付けられる構造を特徴とする。先端の管状部材には、紐部材を括り付ける先端部材が有り、紐部材を固着し通して２つ目以降の管状部材の管状部材内に挿入された紐部材が複数以上の管状部材が連結固定される。各管状部材には溝，突起があり,溝と突起を合せることによって動かず固定される（図１）。板,チューブ,立体物等を管状部材に括り・固定し組立利用する。管状部材を板体のように平面化,立体化するには，紐部材を複数以上にし,戻り止めの締付けによって相対する管状部材が２本・３本・４本・・・の中心点に力の集まり,絞まるのを利用する(例えば球体の上部より下部の戻り止めに向けての周りに紐部材を３本・４本・・と廻らし,戻り止めで締付ければ紐部材は球体の中心点に力が集中しようとする)（図３，４，５）。紐部材 (軟体，柔軟性のあるもの)と管状部材(硬体，硬いもの)の組合せで立体化を可能にした。組立ボート（図５）が板,チューブ,立体物等を利用して造られる。
【背景技術】
【０００２】
従来は管状部材同士（硬体，硬いもの同士）接合面が螺旋（ネジ）式にて回転させて，或はハンダ付け式にて締付け接続固定器具式にて接合固着していた。紐部材（軟体，柔かいもの，柔軟性あるもの）と管状部材（硬体，硬いもの）と連結することで、組立により大小の平面、立体型空間が出来る。組立が簡単，移送が簡単となります。組立したものを解体して，又次の利用目的に利用出来る。管状部材の中空に紐部材を挿入するように切割りを入れる（図１）。紐部材と管状部材とを結合することによって紐部材の弾力性と管状部材の硬体の力性の利用効果が得られる。紐部材は戻り止めにて締付けられ,複数の管状部材が直線化し１本化する。紐部材が複数以上で，各紐状部材に相対する管状部材を紐部材で戻り止めにて締付けると,中心点に力が集る。紐部材で物が挟み得ることを利用する。平面から立体へ,小空間から大空間へと色々な物が出来る。
【０００３】
前述した，従来は管状部材同士（硬体同士）接合面が螺旋（ネジ）式にて回転させて或はハンダ付け式にて或は締付け接続固定器具式にて接合固着していた。紐部材と管状部材と連結することで、組立により大小の平面、立体型空間が出来る。管状部材の中空，管内に紐部材を挿入するように切割りを入れる（図１）。紐部材（柔らかいもの，柔軟性あるもの，軟体）と管状部材（硬いもの，硬体）とを結合することによって弾力性と硬体の力性の利用効果が得られる。紐部材は戻り止めにて締付けられ,複数以上の管状部材が１本化する。紐部材が複数以上で締付けると,中心点に力が集る。紐部材を両端双方から引っ張り合えば,中心で物が挟み得ることを利用する。平面から立体へ,小空間から大空間へと色々な物が出来る。
【考案の概要】
【考案が解決しようとする課題】
【０００４】
管状部材を連結接続するものは紐部材で，接続位置で縛りつけるか,管状部材が螺旋(ネジ)式にて回転させ管状部材同士で捻るか，管状部材同士のハンダ付けか，締付け接続固定器具式にてであった。紐部材を管状部材の中空，管内に挿入して締付けるだけですので,曲体・曲線・ループ状の棒状部材でも締付けることが出来る。板体,立方体,箱体に接合,縛り付けることで応用分野が広くなった。従来のものより簡単で，容易で,軽量で,小スペースで作ることが出来るようになり応用可能となった。使用目的が達成した場合には,解体して次の使用目的に利用できる。
【課題を解決するための手段】
【０００５】
先端部材に一端を固着された紐部材とこの紐部材を通す複数の管状部材及び該管状部材同志をつなぐ接続部材を備え，前記紐部材側に紐部材の戻り止め部材を有し，この紐部材の戻り止めを通して外部に紐部材を取出し，更に，前記管状部材及び接続部材は長手方向に切割りを有すると共に管状部材と接続部材は管状部材と接続部材に設けた切割りが円周上で一致しない位置で固定されるよう回り止めにより接合されることを特徴とする切割り入り管状部材に紐部材を挿入した構造体。
【考案の効果】
【０００６】
特定的な対象から普遍的(他の物と管状部材の接合により)(身体の大小,細部,局部)な対象に可能性が広がった。管状部材と紐部材の組合せにより平面より立体,小空間より大空間と,応用利用の範囲が広がった。軽量で組立が容易で持運びが簡単となった。各部材は使用目的に利用し終った時、解体して次の使用目的に利用できる。
【図面の簡単な説明】
【０００７】
【図１】本考案は管状部材の種類の先端部分（先端部材），接続部材，管状部材と切割りの状態を示した図。
【図２】本上記の管状部材内に紐部材が挿入された状態と戻り止めの締付けの動きの状態を示した図。
【図３】本上記曲がり管状部材と管状部材内に紐部材を挿入した一応用状態のはしごを示した図。
【図４】本上記ネット張り前の各種運動用枠状態を示した図。
【図５】本上記部材のボートの組立の状態を示した図。
【考案を実施するための形態】
【０００８】
紐部材の曲線的な動きと管状部材の直線的な動きとの組合せで大空間が作られことで未来に応用分野が広がる。
【実施例１】
【０００９】
ボート,ネット張り前の各種運動用枠等,テント枠,日除け(壁面,屋上緑化)枠,野菜工場棚，温室棚,建設用骨組，魚養殖用枠，家具、救急担架、はしご、玩具、介護補助具，看板等各種器具に実施可能です。以下,添付図面に従って実施例を説明する。
【産業上の利用可能性】
【００１０】
紐部材 (柔かいもの，柔軟性あるもの，軟体)と管状部材 (硬いもの，硬体)は弾性と硬体の硬軟の組み合わせにより各種産業・企業・家庭に広範囲の利用が可能となった。管状部材と紐部材が超軽量かつ超強靭な物に開発されれば利用可能性は広大となる。
【符号の説明】
【００１１】
１  先端部材
２  管状部材
３  接続部材
４  紐部材
５  戻り止め部材
６  切割り
７  管状部材止め
８  溝
９  突起
１０曲り管状部材
【図１】
0003151665.tif 000003
【図２】
0003151665.tif 000004
【図３】
0003151665.tif 000005
【図４】
0003151665.tif 000006
【図５】
0003151665.tif 000007